(57)【特許請求の範囲】
【請求項１】
コンテンツを利用するクライアント装置から前記コンテンツの情報を受信し、前記コンテンツの情報に対応するコンテンツ識別番号を前記クライアント装置へ送信する番号管理サーバ装置であって、
前記コンテンツ識別番号の払い出し順番を監視し、直前に登録されたコンテンツ識別番号との有効期限の差分によって、各コンテンツ識別番号の有効期限を管理する番号管理部を備えることを特徴とする番号管理サーバ装置。
【請求項２】
コンテンツを利用するクライアント装置から前記コンテンツの情報を受信し、前記コンテンツの情報に対応するコンテンツ識別番号を前記クライアント装置へ送信する番号管理方法であって、
前記コンテンツ識別番号の払い出し順番を監視し、直前に登録されたコンテンツ識別番号との有効期限の差分によって、各コンテンツ識別番号の有効期限を管理するステップを含むことを特徴とする番号管理方法。
【発明の詳細な説明】
【技術分野】
【０００１】
本発明は、番号管理サーバ装置及び番号管理方法に関する。
【背景技術】
【０００２】
近年、インターネットの普及により、ＦＴＴＨ、ＡＤＳＬなど一般家庭にも高速通信環境が整ってきている。又、固定通信分野のみでなく、移動体通信の分野でも第三世代携帯電話が普及し、高速で通信を行うことが可能になっている。このような高速通信インフラ環境の整備に加え、ＪＰＥＧに代表される画像圧縮技術、ＭＰＥＧに代表される映像圧縮技術などディジタル信号圧縮技術の進化により、テキストデータばかりでなく、画像・音声・映像などデータ容量の大きいコンテンツもネットワークを通して流通させることが可能になってきた。
【０００３】
これらの技術革新により、株式会社ＮＴＴドコモでも２００３年５月よりＦＯＭＡ（登録商標）ＴＶ電話移動機に対して映像を配信する「Ｖライブサービス」を提供している（例えば、非特許文献１参照。）。
【０００４】
Ｖライブサービスでは、利用者が視聴した映像コンテンツに対応したコンテンツ識別番号をＶライブセンタへ接続するサービス番号に付加し、テレビ電話発信することで、ストリーミングサーバからストリーミング転送プロトコルＲＴＰを使って配信される映像コンテンツを第三世代移動通信で使われるオーディオビジュアル通信規格３Ｇ−３２４Ｍでのテレビ電話の音声と映像として視聴する。
【０００５】
このコンテンツ識別番号の払い出しにおいて、利用者は、ＩＰのホームページへアクセスし、そのホームページ上で提供される映像コンテンツの視聴に関し、ＩＰとの間でユーザ認証及び購入などの手続きを行う。その後、利用者は、そのコンテンツに対応するコンテンツ識別番号の払い出しを要求し、払い出されたサービス番号とコンテンツ識別番号を用い、テレビ電話発信することで、映像コンテンツを視聴することも考えられる。その際、利用者がコンテンツの視聴を希望するたびに動的に払い出される一定期間有効なコンテンツ識別番号を使うことにより、コンテンツ購入をしていない利用者がそのコンテンツを視聴することを防ぐ必要がある。又、コンテンツ識別番号が容易に推測されないようコンテンツ識別番号の桁数を大きくし、コンテンツ識別番号がランダムに払い出される必要がある。
【先行技術文献】
【非特許文献】
【０００６】
【非特許文献１】http://mobile-wonder-land.com/mwl/services/m_vlive.html
【発明の概要】
【発明が解決しようとする課題】
【０００７】
しかしながら、コンテンツ識別番号を管理する際には、以下の３つの問題点がある。
【０００８】
一つ目に、同一のコンテンツ識別番号を発生させないことを保証するためには、ランダムで発生させたコンテンツ識別番号が既に払い出されていないことを毎回確認する必要があり、コンテンツ識別番号払い出しにおける処理時間や処理負荷がかかってしまう。
【０００９】
二つ目に、払い出したコンテンツ識別番号をコンテンツ識別番号毎に有効期限を管理する必要があり、処理負荷が大きくなる。
【００１０】
三つ目に、コンテンツ識別番号問い合わせ検索処理に対して、記憶している全コンテンツ識別番号と比較する必要があるため、処理時間や処理負荷が大きくなる。
【００１１】
そこで、本発明は、上記問題点に鑑み、コンテンツ識別番号の管理における処理負荷の低減を可能とする番号管理サーバ装置及び番号管理方法を提供することを課題とする。
【課題を解決するための手段】
【００１２】
上記目的を達成するため、本発明の第１の特徴は、コンテンツを利用するクライアント装置からコンテンツの情報を受信し、コンテンツの情報に対応するコンテンツ識別番号をクライアント装置へ送信する番号管理サーバ装置であって、コンテンツ識別番号のうち、予め決められた桁は、他のコンテンツ識別番号とは異なる番号を払い出し、予め決められた桁以外の桁は、ランダムに払い出す番号払い出し部を備える番号管理サーバ装置であることを要旨とする。
【００１３】
第１の特徴に係る番号管理サーバ装置によると、コンテンツ識別番号の特定の桁を他のコンテンツ識別番号と異なる番号にすることにより、過去に払い出した全コンテンツ識別番号との一致確認が不要となり、処理負荷を低減することができる。
【００１４】
本発明の第２の特徴は、コンテンツを利用するクライアント装置からコンテンツの情報を受信し、コンテンツの情報に対応するコンテンツ識別番号をクライアント装置へ送信する番号管理サーバ装置であって、コンテンツ識別番号のうち、予め決められた複数の連続する桁は、連続する番号を払い出し、予め決められた複数の連続する桁以外の桁は、ランダムに払い出す番号払い出し部を備える番号管理サーバ装置であることを要旨とする。
【００１５】
第２の特徴に係る番号管理サーバ装置によると、払い出した連続する番号によって管理することにより、コンテンツ識別番号からコンテンツ情報を問い合わされた場合に、コンテンツ識別番号を高速に照合することができ、処理負荷を低減することができる。
【００１６】
本発明の第３の特徴は、コンテンツを利用するクライアント装置からコンテンツの情報を受信し、コンテンツの情報に対応するコンテンツ識別番号をクライアント装置へ送信する番号管理サーバ装置であって、コンテンツ識別番号の払い出し順番を監視し、直前に登録されたコンテンツ識別番号との有効期限の差分によって、各コンテンツ識別番号の有効期限を管理する番号管理部を備える番号管理サーバ装置であることを要旨とする。
【００１７】
第３の特徴に係る番号管理サーバ装置によると、特定周期に最も早く登録された先頭のデータを監視し、タイマ値を更新するだけで、各コンテンツ識別番号の有効期限を管理することができ、処理負荷を低減することができる。
【００１８】
本発明の第４の特徴は、コンテンツを利用するクライアント装置からコンテンツの情報を受信し、コンテンツの情報に対応するコンテンツ識別番号をクライアント装置へ送信する番号管理方法であって、コンテンツ識別番号のうち、予め決められた桁は、他のコンテンツ識別番号とは異なる番号を払い出し、予め決められた桁以外の桁は、ランダムに払い出すステップを含む番号管理方法であることを要旨とする。
【００１９】
本発明の第４の特徴に係る番号管理方法によると、コンテンツ識別番号の特定の桁を他のコンテンツ識別番号と異なる番号にすることにより、過去に払い出した全コンテンツ識別番号との一致確認が不要となり、処理負荷を低減することができる。
【００２０】
本発明の第５の特徴は、コンテンツを利用するクライアント装置からコンテンツの情報を受信し、コンテンツの情報に対応するコンテンツ識別番号をクライアント装置へ送信する番号管理方法であって、コンテンツ識別番号のうち、予め決められた複数の連続する桁は、連続する番号を払い出し、予め決められた複数の連続する桁以外の桁は、ランダムに払い出すステップを含む番号管理方法であることを要旨とする。
【００２１】
第５の特徴に係る番号管理方法によると、払い出した連続する番号によって管理することにより、コンテンツ識別番号からコンテンツ情報を問い合わされた場合に、コンテンツ識別番号を高速に照合することができ、処理負荷を低減することができる。
【００２２】
本発明の第６の特徴は、コンテンツを利用するクライアント装置からコンテンツの情報を受信し、コンテンツの情報に対応するコンテンツ識別番号をクライアント装置へ送信する番号管理方法であって、コンテンツ識別番号の払い出し順番を監視し、直前に登録されたコンテンツ識別番号との有効期限の差分によって、各コンテンツ識別番号の有効期限を管理するステップを含む番号管理方法であることを要旨とする。
【００２３】
第６の特徴に係る番号管理方法によると、特定周期に最も早く登録された先頭のデータを監視し、タイマ値を更新するだけで、各コンテンツ識別番号の有効期限を管理することができ、処理負荷を低減することができる。
【発明の効果】
【００２４】
本発明によると、コンテンツ識別番号の管理における処理負荷の低減を可能とする番号管理サーバ装置及び番号管理方法を提供することができる。
【図面の簡単な説明】
【００２５】
【図１】本実施形態に係る番号管理システムの構成ブロック図である。
【図２】本実施形態に係る番号管理方法を示すフローチャートである。
【図３】本実施形態に係るコンテンツ識別番号の払い出し例である（その１）。
【図４】本実施形態に係るコンテンツ識別番号の払い出し例である（その２）。
【図５】本実施形態に係るコンテンツ識別番号の払い出し例である（その３）。
【図６】本実施形態に係る有効期限管理を説明するための図である。
【発明を実施するための形態】
【００２６】
次に、図面を参照して、本発明の実施の形態を説明する。以下の図面の記載において、同一又は類似の部分には、同一又は類似の符号を付している。ただし、図面は模式的なものであることに留意すべきである。
【００２７】
（番号管理システム）
本実施形態に係る番号管理システムは、図１に示すように、番号払い出しクライアント装置１００と、番号管理サーバ装置２００と、番号問い合わせクライアント装置３００とを備える。ここで、番号払い出しクライアント装置１００及び番号問い合わせクライアント装置３００と、番号管理サーバ装置２００とは、インターネット等の通信ネットワークを介して、情報を送受信する。尚、番号払い出しクライアント装置１００及び番号問い合わせクライアント装置３００と、番号管理サーバ装置２００との通信は、無線でも有線でも構わない。
【００２８】
又、番号払い出しクライアント装置１００及び番号問い合わせクライアント装置３００としては、例えば、ＰＣ、携帯電話等が挙げられるが、コンテンツを利用可能な装置で有れば構わない。又、図１では、番号払い出しクライアント装置１００と番号問い合わせクライアント装置３００とを別の装置として示しているが、状況によっては、これらは同じ装置であっても構わない。
【００２９】
番号払い出しクライアント装置１００は、番号払い出し要求部１０１と、番号受信部１０２とを備える。
【００３０】
番号払い出し要求部１０１は、番号管理サーバ装置２００へ、コンテンツ識別番号に紐付けるコンテンツ情報を含む、コンテンツ識別番号を払い出す要求信号を送信する。
【００３１】
番号受信部１０２は、番号管理サーバ装置２００からコンテンツ識別番号を受信する。
【００３２】
番号問い合わせクライアント装置３００は、コンテンツ情報要求部３０１と、コンテンツ情報受信部３０２とを備える。
【００３３】
コンテンツ情報要求部３０１は、番号管理サーバ装置２００へ、コンテンツ識別番号を含む、コンテンツ識別番号に紐付けられたコンテンツ情報を要求する要求信号を送信する。
【００３４】
コンテンツ情報受信部３０２は、番号管理サーバ装置２００からコンテンツ情報を受信する。
【００３５】
番号管理サーバ装置２００は、要求受信・応答部２０１と、番号払い出し部２０２と、番号管理部２０３と、番号問い合わせ部２０４とを備える。
【００３６】
要求受信・応答部２０１は、番号払い出しクライアント装置１００から要求信号を受信し、コンテンツ識別番号を送信する。又、要求受信・応答部２０１は、番号問い合わせクライアント装置３００から要求信号を受信し、コンテンツ情報を送信する。
【００３７】
番号払い出し部２０２は、番号払い出しクライアント装置１００からの要求信号に応じて、一定期間有効なコンテンツ識別番号を払い出す。具体的には、番号払い出し部２０２は、コンテンツ識別番号のうち、予め決められた桁は、他のコンテンツ識別番号とは異なる番号を払い出し、予め決められた桁以外の桁は、ランダムに払い出す。あるいは、番号払い出し部２０２は、コンテンツ識別番号のうち、予め決められた複数の連続する桁は、連続する番号を払い出し、予め決められた複数の連続する桁以外の桁は、ランダムに払い出す。
【００３８】
又、番号払い出し部２０２は、番号払い出しクライアント装置１００から受信したコンテンツ情報とコンテンツ識別番号を紐付けて番号管理部２０３へ登録する。
【００３９】
番号管理部２０３は、番号払い出し部２０２が払い出したコンテンツ識別番号と、コンテンツ情報とを紐付けて管理し、コンテンツ識別番号毎に有効期限の管理を行う。具体的には、番号管理部２０３は、コンテンツ識別番号の払い出し順番を監視し、直前に登録されたコンテンツ識別番号との有効期限の差分によって、各コンテンツ識別番号の有効期限を管理する。
【００４０】
又、番号管理部２０３は、有効期限を経過すると、該当するコンテンツ識別番号を記憶部（図示せず）より消去する。尚、記憶部とは、データベースを指し、具体的には、ＲＡＭ等の内部記憶装置でもよく、ＨＤ等の外部装置でもよい。
【００４１】
更に、番号管理部２０３は、番号問い合わせ部２０４からコンテンツ識別番号を通知されると、当該コンテンツ識別番号に対応するコンテンツ情報を応答する。
【００４２】
番号問い合わせ部２０４は、番号問い合わせクライアント装置３００からの要求信号に応じて、当該要求信号に含まれるコンテンツ識別番号に対応するコンテンツ情報を、番号管理部２０３から取得する。又、番号問い合わせ部２０４は、取得したコンテンツ情報を要求受信・応答部２０１を介して、番号問い合わせクライアント装置３００へ送信する。
【００４３】
又、図示していないが、番号管理サーバ装置２００は、番号払い出し処理、番号管理処理、番号問い合わせ処理などを中央演算装置（ＣＰＵ）に実行させるための実行プログラムを保存するプログラム保持部を備えてもよい。プログラム保持部は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００４４】
（番号管理方法）
次に、本実施形態に係る番号管理方法について、図２〜図６を用いて説明する。
【００４５】
まず、図２のステップＳ１０１において、番号払い出しクライアント装置１００は、コンテンツ識別番号に紐付けるコンテンツ情報を、番号管理サーバ装置２００へ送信する。
【００４６】
次に、ステップＳ１０２において、番号管理サーバ装置２００は、受信したコンテンツ情報に紐付けるコンテンツ識別番号を払い出す。このとき、番号管理サーバ装置２００の番号払い出し部２０２は、払い出すコンテンツ識別番号が容易に推測できないよう、乱数を用いて、桁数、各桁の番号をランダムに払い出す。又、過去に払い出したコンテンツ識別番号と同じ番号を払い出さないようにするためには、ランダムに払い出した番号と有効期限が残っている過去に払い出した全番号との一致確認、仮に一致している場合、番号の再発行を行う必要があり、その分、番号の払い出しに要する時間がかかってしまう。このため、有効期限が残されている過去に払い出したコンテンツ識別番号と同じコンテンツ識別番号を払い出さないよう、番号払い出し部２０２は、図３に示すように、予め決められた複数の桁においては、ランダム性をなくし、意図的に、他のコンテンツ識別番号と同じ番号にはならないように、コンテンツ識別番号を払い出す。例えば、図３では、桁数は最低１４桁数とし、３桁目、７桁目、１０桁目、１１桁目、１４桁目を意図的に払い出す。そして、例えば、図４に示すように、３桁目、７桁目、１０桁目、１１桁目、１４桁目を、それぞれコンテンツ識別番号の千の位、一の位、万の位、十の位、百の位に使用する。又、番号管理サーバ装置２００は、システムの性能によって、有効期限が残っているコンテンツ識別番号の保持可能数に上限を持たせ、番号払い出し部２０２は、それ以上の払い出し要求に対しては、コンテンツ識別番号の払い出しを行わない。
【００４７】
又、後述するコンテンツ情報問い合わせ要求を受けた場合、該当するコンテンツ識別番号に紐付けられたコンテンツ情報取得のために、すべての有効期限内の払い出し済みコンテンツ識別番号と問い合わせ番号を照合する必要があり、処理時間や処理時間を増大させてしまう。このため、番号管理サーバ装置２００の番号払い出し部２０２は、複数の特定の桁数を連続した番号で払い出し、その他の桁数をランダムに払い出す。例えば、図５（ａ）に示すように、１桁目と２桁目を連続した番号で払い出し、３桁目と４桁目をランダムに払い出す。このとき、シーケンシャルに増える番号が１周して元の番号に戻る周期としては、番号管理サーバ装置２００が保持可能なコンテンツ識別番号の数などが考えられる。図５（ｂ）は、シーケンシャルに配列された番号と、それに対応するコンテンツ識別番号を示している。
【００４８】
次に、図２のステップＳ１０３において、番号管理サーバ装置２００は、コンテンツ情報に紐付けられたコンテンツ識別番号を、番号払い出しクライアント装置１００へ送信する。
【００４９】
次に、ステップＳ１０４において、番号管理サーバ装置２００の番号管理部２０３は、ステップＳ１０２において払い出されたコンテンツ識別番号とコンテンツ情報とを紐付けて管理している。そして、番号管理部２０３は、払い出しをしたコンテンツ識別番号毎に有効期限を管理し、有効期限が切れたコンテンツ識別番号は消去する。このとき、払い出しを行ったすべてのコンテンツ識別番号に対して、有効期限のタイマ管理を行うと、払い出したコンテンツ識別番号が多くなるにつれ、マシンの処理負荷が大きくなり、番号の払い出し時間及びコンテンツ情報問い合わせ応答時間が長くなってしまう。そこで、図６に示す下記方法で、有効期限管理を行う。
【００５０】
まず、番号管理部２０３は、番号払い出しを行った順番にて、コンテンツ識別番号データをチェーンテーブル化する。このチェーンテーブル化には、ある場所に格納したデータを、古く格納した順に取り出すＦＩＦＯ（First-in First-out）方式を利用すればよい。
【００５１】
次に、コンテンツ識別番号の登録方法について説明する。番号管理部２０３は、番号払い出しクライアント装置１００から番号払い出し要求を受信し（Ｓ２０１）、前に登録データがない状態である場合、有効期限（ここでは、６０秒）をタイマ値としてそのまま設定する。そして、総タイマ値に有効期限（ここでは、６０秒）を設定する。次に、番号管理部２０３は、番号払い出し部２０２及び要求受信・応答部２０１を介して、番号払い出しクライアント装置１００へ番号を払い出す（Ｓ２０２）。又、ステップＳ２０２の状態から１０秒経過後に、番号管理部２０３は、番号払い出しクライアント装置１００から番号払い出し要求を受信した場合（Ｓ２０２）、前に登録データがあるため、有効期限（ここでは、６０秒）から総タイマ値（ここでは、５０秒）を減算した値（ここでは、１０秒）をタイマ値として設定する。そして、総タイマ値に有効期限（ここでは、６０秒）を設定する。次に、番号管理部２０３は、番号払い出し部２０２及び要求受信・応答部２０１を介して、番号払い出しクライアント装置１００へ番号を払い出す（Ｓ２０４）。更に、ステップＳ２０４の状態から１０秒経過後に、番号管理部２０３は、番号払い出しクライアント装置１００から番号払い出し要求を受信した場合（Ｓ２０５）、前に登録データがあるため、有効期限（ここでは、６０秒）から総タイマ値（ここでは、５０秒）を減算した値（ここでは、１０秒）をタイマ値として設定する。そして、総タイマ値に有効期限（ここでは、６０秒）を設定する。次に、番号管理部２０３は、番号払い出し部２０２及び要求受信・応答部２０１を介して、番号払い出しクライアント装置１００へ番号を払い出す（Ｓ２０６）。
【００５２】
次に、コンテンツ識別番号の監視方法について説明する。番号管理部２０３は、上述した登録処理を行う一方で、コンテンツ識別番号データの有効期間を監視する。即ち、図６の右側に示すように、番号管理部２０３は、特定秒α周期にて、先頭のコンテンツ識別番号データを監視し、経過した時間に応じて、タイマ値及び総タイマ値を減算する。そして、減算した結果、先頭データのタイマ値が０になった場合、該当データを削除する。次に、削除済みの先頭データの次に登録されたデータを先頭データとし、この先頭データを監視し、同様に、タイマ値及び総タイマ値の減算を行う。そして、減算した結果、先頭データのタイマ値が０になった場合、該当データを削除する。これらの処理を登録データが０になるまで行う。
【００５３】
一方、図２のステップＳ１０５において、番号問い合わせクライアント装置３００は、コンテンツ識別番号を番号管理サーバ装置２００へ送信する。
【００５４】
ステップＳ１０６において、番号管理サーバ装置２００の番号問い合わせ部２０４は、当該コンテンツ識別番号に対応するコンテンツ情報を、番号管理部２０３から取得する。このとき、コンテンツ識別番号は、複数の特定の桁数を連続した番号で払い出し、その他の桁数をランダムに払い出されているため、番号管理部２０３は処理時間を多く要さず、当該コンテンツ識別番号に対応するコンテンツ情報を見つけることができる。
【００５５】
そして、ステップＳ１０７において、番号管理サーバ装置２００は、番号問い合わせクライアント装置３００へ、対応するコンテンツ情報を送信する。
【００５６】
（作用及び効果）
本実施形態に係る番号管理サーバ装置２００及び番号管理方法によると、コンテンツ識別番号のうち、予め決められた桁は、他のコンテンツ識別番号とは異なる番号を払い出し、予め決められた桁以外の桁は、ランダムに払い出すことができる。このため、コンテンツ識別番号の特定の桁を他のコンテンツ識別番号と異なる番号にすることにより、過去に払い出した全コンテンツ識別番号との一致確認が不要となり、処理負荷を低減することができる。又、処理速度を向上させることができる。
【００５７】
又、本実施形態に係る番号管理サーバ装置２００及び番号管理方法によると、コンテンツ識別番号のうち、予め決められた複数の連続する桁は、連続する番号を払い出し、予め決められた複数の連続する桁以外の桁は、ランダムに払い出すことができる。このため、払い出した連続する番号によって管理することにより、コンテンツ識別番号からコンテンツ情報を問い合わされた場合に、コンテンツ識別番号を高速に照合することができ、処理負荷を低減することができる。具体的には、コンテンツ識別番号からコンテンツ情報を問い合わされた場合に、コンテンツ識別番号の検索やコンテンツ識別番号が存在する場合の取得を高速に行うことができる。
【００５８】
又、本実施形態に係る番号管理サーバ装置２００及び番号管理方法によると、コンテンツを利用するクライアント装置からコンテンツの情報を受信し、コンテンツの情報に対応するコンテンツ識別番号をクライアント装置へ送信する番号管理サーバ装置であって、コンテンツ識別番号の払い出し順番を監視し、直前に登録されたコンテンツ識別番号との有効期限の差分によって、各コンテンツ識別番号の有効期限を管理することができる。このため、特定周期に最も早く登録された先頭のデータを監視し、タイマ値を更新するだけで、各コンテンツ識別番号の有効期限を管理することができ、処理負荷を低減することができる。具体的には、タイマ値及び総タイマ値を減算することにより、各コンテンツ識別番号の有効期限を管理することができる。
【００５９】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００６０】
例えば、図２において、番号の払い出し処理（Ｓ１０１〜１０３）、番号管理処理（Ｓ１０４）、番号問い合わせ処理（Ｓ１０５〜１０７）の順で行われると説明したが、番号管理処理及び番号問い合わせ処理は、番号払い出し処理が行われた後、適宜行われる処理であり、これらの処理のタイミングは、図２に示す限りではない。
【００６１】
又、本実施形態において、１の番号管理サーバ装置２００内に番号払い出し部２０２、番号管理部２０３、番号問い合わせ部２０４を備えると説明したが、これらの機能を複数の装置に配置しても構わない。この場合、各部をバスなどで接続することとする。
【００６２】
このように、本発明はここでは記載していない様々な実施形態等を含むことは勿論である。従って、本発明の技術的範囲は上記の説明から妥当な特許請求の範囲に係る発明特定事項によってのみ定められるものである。
【符号の説明】
【００６３】
１００…番号払い出しクライアント装置
１０１…番号払い出し要求部
１０２…番号受信部
２００…番号管理サーバ装置
２０１…要求受信・応答部
２０２…番号払い出し部
２０３…番号管理部
２０４…番号問い合わせ部
３００…番号問い合わせクライアント装置
３０１…コンテンツ情報要求部
３０２…コンテンツ情報受信部
【図１】
0005216909.tif 000002
【図２】
0005216909.tif 000003
【図３】
0005216909.tif 000004
【図４】
0005216909.tif 000005
【図５】
0005216909.tif 000006
【図６】
0005216909.tif 000007